(57)【要約】【課題】草刈り後の雑草の再繁茂を抑制し、しかも、所定の植物を植栽可能に形成した植栽用土嚢袋等を提供する。【解決手段】本発明に係る植栽用土嚢袋では、では、方形状に形成され、土砂を収容する網状の袋本体と、この袋本体に取り付けられた不織布とからなる植栽用土嚢袋であって、前記袋本体は、前記土砂に植栽した植物の茎部が成長して突出する表面部と、前記不織布が取り付けられるとともに、前記植物の根部が成長して突出する底面部とを有し、前記底面部に前記不織布を貫通させ、当該不織布を前記袋本体外部から前記袋本体内部にかけて配置することにより、当該不織布の毛管現象によって前記袋本体外部の水分を前記袋本体内部の土砂に供給することとした。【選択図】図３
2011000028.tif 000002
【特許請求の範囲】
【請求項１】
方形状に形成され、土砂を収容する網状の袋本体と、この袋本体に取り付けられた不織布とからなる植栽用土嚢袋であって、
前記袋本体は、前記土砂に植栽した植物の茎部が成長して突出する表面部と、前記不織布が取り付けられるとともに、前記植物の根部が成長して突出する底面部とを有し、
前記底面部に前記不織布を貫通させ、当該不織布を前記袋本体外部から前記袋本体内部にかけて配置することにより、当該不織布の毛管現象によって前記袋本体外部の水分を前記袋本体内部の土砂に供給することを特徴とする植栽用土嚢袋。
【請求項２】
方形状に形成された前記袋本体は、その一辺の少なくとも一部が開口されており、この開口を含む辺端部を複数回折り返して、前記開口を前記土砂の投入口とした投入部を形成したことを特徴とする請求項１に記載の植栽用土嚢袋。
【請求項３】
前記不織布は、前記袋本体内部に配置される筒部と、当該筒部にその一端がそれぞれ連結され、前記袋本体外部に配置される左右一対の平板部とを備えることを特徴とする請求項１又は２に記載の植栽用土嚢袋。
【請求項４】
前記筒部の延伸方向に、前記土砂を流入させる流入開口を所定間隔をあけて複数個形成したことを特徴とする請求項３に記載の植栽用土嚢袋。
【請求項５】
前記筒部は、前記筒部の周面に形成された各流入開口に向かって前記土砂を流入させるガイド部を、前記各流入開口に対応させて設けたことを特徴とする請求項４に記載の植栽用土嚢袋。
【請求項６】
前記不織布は、前記表面部側から見たときに、前記底面部の面積の１／２以下の面積であることを特徴とする請求項１〜５のいずれか１項に記載の植栽用土嚢袋。
【請求項７】
請求項１〜６のいずれか１項に記載の植栽用土嚢袋に土砂を収容して形成した植栽用土嚢を土壌面に敷設し、同植栽用土嚢の表面部に匍匐性植物を植栽してなる植栽用土嚢の配設構造。
【請求項８】
請求項１〜６のいずれか１項に記載の植栽用土嚢袋の製造方法であって、
方形状の網状シートの対向する縁辺同士を縫合して筒状の網体を形成する第１工程と、
前記筒状の網体の開口辺の一方を縫合し、一辺が開口する袋状の網体を形成する第２工程と、
前記袋状の網体の開口部分を含む端部を複数回折り返し、中央部を除く両縁部を縫合して、前記土砂の投入口を形成する第３工程と、を有し、
前記第１工程において、前記縁辺間に前記不織布を介在させた後に前記縁辺を縫合して、前記筒状の網体内部と前記筒状の網体外部とに跨って前記不織布を配設したことを特徴とする植栽用土嚢袋の製造方法。
【請求項９】
請求項１〜６のいずれか１項に記載の植栽用土嚢袋に土砂を収容して植栽用土嚢を形成する土嚢形成工程と、
前記植栽用土嚢を草刈り後の土壌面に配設する土嚢配設工程と、
配設した植栽用土嚢に匍匐性の植物を移植する植栽工程と、を備えることを特徴とする植栽用土嚢の敷設方法。
【発明の詳細な説明】
【技術分野】
【０００１】
本発明は、草刈り後の雑草の再繁茂を抑制し、しかも、所定の植物を植栽可能に形成した植栽用土嚢袋等に関する。
【背景技術】
【０００２】
従来、道路の中央分離帯や公園などでは、土壌が露出している場所に繁茂した雑草を除去する草刈りが行われている。
【０００３】
ところが、雑草は生育が早く、場合によっては年に数回草刈りを行うなどして、多大な労力や費用を費やしている。
【０００４】
そこで、この草刈りの労力を削減するために、土壌表面にブロックを敷設し、雑草が根付かないようにする方法が提案されている（例えば、特許文献１参照。）。
【０００５】
この土壌表面にブロックを敷設する方法によれば、草刈りに要する労力や費用を節減できるとしている。
【先行技術文献】
【特許文献】
【０００６】
【特許文献１】特開２００４−２４３７５０号公報
【発明の概要】
【発明が解決しようとする課題】
【０００７】
しかしながら、上記従来の土壌表面にブロックを敷設する方法では、雑草以外の他の植物を、人為的に植栽することができない。
【０００８】
それゆえ、ブロックが敷設された場所は著しく無機的な平面となり、景観を損なうこととなっていた。
【０００９】
本発明は、斯かる事情に鑑みてなされたものであって、土壌表面の雑草の繁茂を抑制し、しかも、所定の植物を植栽可能に形成した土嚢袋を提供する。
【課題を解決するための手段】
【００１０】
上記従来の課題を解決するために、請求項１に係る発明では、方形状に形成され、土砂を収容する網状の袋本体と、この袋本体に取り付けられた不織布とからなる植栽用土嚢袋であって、前記袋本体は、前記土砂に植栽した植物の茎部が成長して突出する表面部と、前記不織布が取り付けられるとともに、前記植物の根部が成長して突出する底面部とを有し、前記底面部に前記不織布を貫通させ、当該不織布を前記袋本体外部から前記袋本体内部にかけて配置することにより、当該不織布の毛管現象によって前記袋本体外部の水分を前記袋本体内部の土砂に供給することを特徴とすることとした。
【００１１】
また、請求項２に係る発明では、請求項１に記載の植栽用土嚢袋において、方形状に形成された前記袋本体は、その一辺の少なくとも一部が開口されており、この開口を含む辺端部を複数回折り返して、前記開口を前記土砂の投入口とした投入部を形成したことに特徴を有する。
【００１２】
また、請求項３に係る発明では、請求項１又は２に記載の植栽用土嚢袋において、前記不織布は、前記袋本体内部に配置される筒部と、当該筒部にその一端がそれぞれ連結され、前記袋本体外部に配置される左右一対の平板部とを備えることに特徴を有する。
【００１３】
また、請求項４に係る発明では、請求項３に記載の植栽用土嚢袋において、前記筒部の延伸方向に、前記土砂を流入させる流入開口を所定間隔をあけて複数個形成したことに特徴を有する。
【００１４】
また、請求項５に係る発明では、請求項４に記載の植栽用土嚢袋において、前記筒部は、前記筒部の周面に形成された各流入開口に向かって前記土砂を流入させるガイド部を、前記各流入開口に対応させて設けたことに特徴を有する。
【００１５】
また、請求項６に係る発明では、請求項１〜５のいずれか１項に記載の植栽用土嚢袋において、前記不織布は、前記表面部側から見たときに、前記底面部の面積の１／２以下の面積であることに特徴を有する。
【００１６】
また、請求項７に係る発明では、請求項１〜６のいずれか１項に記載の植栽用土嚢袋に土砂を収容して形成した植栽用土嚢を土壌面に敷設し、同植栽用土嚢の表面部に匍匐性植物を植栽してなる植栽用土嚢の配設構造とした。
【００１７】
また、請求項８に係る発明では、請求項１〜６のいずれか１項に記載の植栽用土嚢袋の製造方法であって、方形状の網状シートの対向する縁辺同士を縫合して筒状の網体を形成する第１工程と、前記筒状の網体の開口辺の一方を縫合し、一辺が開口する袋状の網体を形成する第２工程と、前記袋状の網体の開口部分を含む端部を複数回折り返し、中央部を除く両縁部を縫合して、前記土砂の投入口を形成する第３工程と、を有し、前記第１工程において、前記縁辺間に前記不織布を介在させた後に前記縁辺を縫合して、前記筒状の網体内部と前記筒状の網体外部とに跨って前記不織布を配設したことを特徴とすることとした。
【００１８】
また、請求項９に係る発明では、請求項１〜６のいずれか１項に記載の植栽用土嚢袋に土砂を収容して植栽用土嚢を形成する土嚢形成工程と、前記植栽用土嚢を草刈り後の土壌面に配設する土嚢配設工程と、配設した植栽用土嚢に匍匐性の植物を移植する植栽工程と、を備えることを特徴とする植栽用土嚢の敷設方法とした。
【発明の効果】
【００１９】
本発明によれば、草刈り後の雑草の再繁茂を抑制し、しかも、所定の植物を植栽可能に形成した土嚢袋を提供することができる。
【図面の簡単な説明】
【００２０】
【図１】本発明の一実施形態の植栽用土嚢袋が設置場所を示す説明図である。
【図２】本発明の一実施形態の植栽用土嚢袋を示す斜視図である。
【図３】本発明の一実施形態の植栽用土嚢袋を示す断面図である。
【図４】本発明の一実施形態の植栽用土嚢袋の製造方法を示す説明図である。
【図５】本発明の一実施形態の植栽用土嚢袋における土砂の充填方法を示す説明図である。
【図６】本発明の一実施形態の植栽用土嚢袋の設置方法を示す説明図である。
【図７】本発明の一実施形態の植栽用土嚢袋を示す断面図及び斜視図である。
【発明を実施するための形態】
【００２１】
本発明は、土壌表面の雑草の繁茂を抑制し、しかも、所定の植物を植栽可能に形成した植栽用土嚢袋を提供するものである。
【００２２】
本実施形態に係る植栽用土嚢袋によれば、内部に土砂を収容して植栽用土嚢とし、雑草の繁茂を防ぎたい土壌表面、特に草刈り後の土壌表面に敷設することにより、雑草が生い茂るのを可及的防止することができる。
【００２３】
しかも、敷設した植栽用土嚢の表面部を一部切開し、そこから露出する土砂に所定の植物を移植することにより、移殖した植物を育成させることができる。
【００２４】
すなわち、本実施形態に係る植栽用土嚢袋によれば、雑草の繁茂を防ぐのみではなく、移植した植物の育成を助長することができて、敷設した場所の景観を良好に保つことができるのである。
【００２５】
また、雑草と言えども、大気中のCO2の固定という観点から言えば、環境負荷を低減するものといえるが、草刈りによって刈られた雑草を焼却処理すると、雑草により固定されたCO2を再び大気中へ還元してしまうこととなる。
【００２６】
その点、本実施形態に係る植栽用土嚢袋にて形成した植栽用土嚢によれば、雑草を抑制して草刈りを可及的不要とし、しかも、所定の植物の育成を助長してCO2の固定を促進させることができるため、CO2による環境負荷を低減することができる。
【００２７】
本明細書における土壌表面は、草刈り後の土壌表面であってもよく、また、新たに道路を敷設した際に形成した路肩のように、雑草が生える前の土壌表面であっても良い。また、土壌表面とは、完全に土が露出している面に限定されるものではなく、背丈の低い（例えば、10cm程度の）雑草が多少生えている面も含まれる概念である。
【００２８】
また、移植する所定の植物は、木本植物や草本植物など特に限定されるものではないが、本実施形態に係る植栽用土嚢袋に移植して育成させるのに適した植物の一つとして、匍匐性の植物、具体的には、クマツヅラ科イワダレソウ属の植物を挙げることができる。特に、イワダレソウ属の植物は、排他的なアレロパシーを生起するため、雑草の繁茂をさらに抑制することができて好ましい。
【００２９】
また、イワダレソウ属の植物は少雨や日照に強く、繁殖力が旺盛で、高さ方向への伸びが少なく、繁茂すると芝生状に広がり、しかも、春から秋にかけて小さな紫色の花を咲かせるという特徴がある。
【００３０】
そのため、道路の植樹帯や、法面での生育に適していると言えるが、本実施形態に係る植栽用土嚢に移植して育成させることにより、競合する雑草の繁殖を抑えつつ、好適な条件下で育成させることができる。
【００３１】
すなわち、植栽用土嚢袋の構成について言及すると、本実施形態に係る植栽用土嚢袋は、土砂を収容する網状の袋本体と、この袋本体に取り付けられた毛管現象を生起可能な布体、例えば不織布とから形成される。
【００３２】
また、袋本体は、植物を移植するとともに、植栽した植物の茎部が成長して突出する表面部と、前記布体（例えば、不織布）が取り付けられるとともに、植物の根部が成長して袋本体内部から土壌方向へ突出する底面部とを有している。
【００３３】
ここで袋本体の形状は、平面視においていかなる形状ともすることができるが、敷設面に隙間無く敷設することのできる略方形状とするのが好ましい。方形状であれば、正方形や長方形など特に限定されるものではないが、実用的には土砂を収容しない状態で平面視略60cm×60cm、土砂を収容して厚みを約10cm程度とした際に平面視略50cm×50cm程度とすることで、できるだけ広い面積を覆い、且つ、人力によっても運搬可能な植栽用土嚢とすることができる。
【００３４】
収容する土砂は、特に限定されるものではないが、真砂土50〜70容量部に対して、バークチップ及び／または腐葉土を30〜50容量部混合した混合土を用いることにより、比較的軽量で、しかも、雨水などにより網目から土砂が流出するのを防止することができる。
【００３５】
また、植栽用土嚢袋に収容する土砂はできるだけ軽い方が、すなわち、嵩比重が小さい方が植栽用土嚢の敷設作業を楽にすることができるが、本発明者らの鋭意研究により、重い土砂（嵩比重の大きい土砂）を収容するほど、布体からの水の給水効率が良いことが分かっている。
【００３６】
換言すれば、植栽用土嚢袋に収容する土砂があまりにも軽いと、布体による土壌面からの水分の吸収効率が低下してしまうこととなる。
【００３７】
それゆえ、この点から見ても、前述の真砂土とバークチップ及び／または腐葉土との混合土を、植栽用土嚢袋に収容する土砂として用いることは、作業性を阻害せず、しかも、布体からの水の供給を促進することのできる適度な重さとすることができるため好ましい。
【００３８】
袋本体を構成する素材は、特に限定されるものではないが、例えば、可撓性を有する樹脂製のメッシュ生地を挙げることができる。
【００３９】
また、袋本体の網目は、内部に収容する土砂がほぼ流出せず、しかも、雑草の種子が袋本体内に侵入しない程度の大きさとしており、0.5mm四方〜2.0mm四方程度の網目が好ましい。
【００４０】
このような網目とすることにより、雨水は容易に浸入させながらも、雑草の種子が袋本体内に侵入するのを防止して、雑草が繁茂するのを可及的防止することができる。
【００４１】
また、袋本体内に収容した土砂に雑草の種子が紛れていた場合や、万一雑草の種子が網目をすり抜けて袋本体内に侵入した場合であっても、表面部を介して袋本体内部へ入射する太陽光の光量を少なくして、雑草の生育を抑制してひ弱なものとすることができる。
【００４２】
また、ひ弱ながらも成長して表面部から突出した雑草についても、茎の太さが網目以上とはならないため、いわゆる首締め効果を生起して、雑草の繁茂を抑制することができる。
【００４３】
また、植栽用土嚢を沿岸部などに敷設する場合には、表面部が網状であるため、潮風による植栽した植物への塩害を防止する効果もある。
【００４４】
併せて、植栽した植物が匍匐性の植物である場合、特にイワダレソウ属の植物である場合には、伸びた茎の中途に節を形成し、その節の部分から葉と根が生じるというように、次々に足場を形成しながら繁茂する性質を有するが、この節から生じた根が、網目を介して土砂に至ることとなるため、植栽した匍匐性の植物の生育を阻害するおそれがない。
【００４５】
網目の大きさが2.0mm四方を越えると、土砂の流出を留めるのが困難となり、また、雑草の種子等が袋本体内部の土壌に侵入し易くなるとともに、表面部を介して袋本体内部へ入射する太陽光の光量が増加したり、首締め効果が低くなるため、好ましくない。また、潮風による塩害の防止効果も減衰する。
【００４６】
網目の大きさが0.5mm四方未満であると、植栽した匍匐性植物の茎の中途の節から生じた根が、表面部を介して袋本体内部に侵入することができなくなり好ましくない。また、植栽した植物の根が、底面部の網目を介して土壌に伸延するのを阻害することとなり好ましくない。
【００４７】
そして、底面部に布体を貫通させ、布体を前記袋本体外部から前記袋本体内部にかけて配置することにより、当該不織布の毛管現象によって前記袋本体外部の水分を前記袋本体内部の土砂に供給可能に構成している。
【００４８】
従って、植栽用土嚢の表面部を一部切開して、所望の植物を植栽用土嚢内に収容した土砂に移植することにより、所定の植物を育成させることができ、しかも、毛管現象を生起する布体が土壌表面から水分を吸収して、植栽用土嚢内部の土砂に水分を供給するため、移植した植物の育成を助長することができる。
【００４９】
ところで、方形状に形成された袋本体は、その一辺の少なくとも一部が開口されており、この開口を含む辺端部を複数回折り返して、開口を土砂の投入口とした投入部を形成するのが好ましい。
【００５０】
この折り返し回数や、折り返し方向は特に限定されるものではないが、折り返し回数は例えば２〜４回が適当であり、また、折り返し方向は、内巻きに折り返したり、Ｚ字状に折り返したり、蛇腹状に折り返しても良い。
【００５１】
このような構成とすることにより、植栽用土嚢袋内に土砂を容易に受け入れることができると共に、土砂の受け入れ後には、容易に投入口を閉塞して土砂が投入口から流出するのを防止できる。
【００５２】
また、毛管現象を生起する布体（例えば、不織布）は、袋本体内部に配置される筒部と、当該筒部にその一端がそれぞれ連結され、袋本体外部に配置される左右一対の平板部とを備えるように構成しても良い。
【００５３】
このような構成とすることにより、平板部にて土壌表面から吸収した水分を筒部に供給して、筒部から土砂へ水分を拡散させることができ、しかも、植栽用土嚢袋内に土砂を入れる際に、投入口から入れられた土砂は、筒部内方にも流入することとなり、筒部をできるだけ表面部に近い位置へ立ち上げることができて、給水効率を更に高めることができる。
【００５４】
また、前記筒部の延伸方向に、前記土砂を流入させる流入開口を所定間隔をあけて複数個形成しても良い。
【００５５】
このような構成とすることにより、筒部内部に土砂をより流入し易くすることができ、植栽用土嚢内部の土砂への給水効率をより向上させることができる。
【００５６】
また、前記筒部は、前記筒部の周面に形成された各流入開口に向かって前記土砂を流入させるガイド部を、前記各流入開口に対応させて設けるようにしても良い。
【００５７】
このような構成とすることにより、更に筒部内部に土砂をより流入し易くすることができ、植栽用土嚢内部の土砂への給水効率をより向上させることができる。
【００５８】
また、毛管現象を生起する布体は、表面部側から見たときに、前記底面部の面積の１／２以下の面積とするのが好ましい。
【００５９】
このような構成とすることにより、移植した植物の根が底面部の網目を介して土壌中へ伸延するのを阻害することがなく、移植した植物の生育をより助長することができる。
【００６０】
また、上述してきた植栽用土嚢袋に土砂を収容して形成した植栽用土嚢を土壌表面に敷設し、同植栽用土嚢の表面部に匍匐性植物を植栽してなる植栽用土嚢の配設構造を形成することにより、公園や道路の中央分離帯、路肩、法面などの土壌表面に雑草が繁茂するのを防止することができ、しかも、所定の植物を植栽可能に形成することができる。
【００６１】
また、上述してきた植栽用土嚢袋は、方形状の網状シートの対向する縁辺同士を縫合して筒状の網体を形成する第１工程と、前記筒状の網体の開口辺の一方を縫合し、一辺が開口する袋状の網体を形成する第２工程と、前記袋状の網体の開口部分を含む端部を複数回折り返し、中央部を除く両縁部を縫合して、前記土砂の投入口を形成する第３工程と、を有し、前記第１工程において、前記縁辺間に前記不織布を介在させた後に前記縁辺を縫合して、前記筒状の網体内部と前記筒状の網体外部とに跨って布体を配設して製造するのが好ましい。
【００６２】
このような方法とすることにより、土壌表面の雑草の繁茂を抑制し、しかも、所定の植物を植栽可能に形成した土嚢袋を安価で、容易に製造することができる。
【００６３】
また、上述してきた植栽用土嚢袋に土砂を収容して植栽用土嚢を形成する土嚢形成工程と、前記植栽用土嚢を草刈り後の土壌面に配設する土嚢配設工程と、配設した植栽用土嚢に匍匐性の植物を移植する植栽工程と、を備える植栽用土嚢の敷設方法により施工することで、公園や道路の中央分離帯、路肩、法面などの土壌表面に雑草が繁茂するのを防止することができ、しかも、所定の植物を植栽可能に形成することができる。
【００６４】
以下、本実施形態に係る植栽用土嚢袋Ａについて、図面を参照しながら更に詳細に説明する。なお、以下の説明では、説明を容易とするために、植栽した植物を匍匐性植物しているが、これに限定されるものではない。
【００６５】
図１は、本実施形態に係る植栽用土嚢袋Ａに土砂を収容してなる植栽用土嚢Ｂを敷設した道路１を示す説明図である。なお、この図１に示す植栽用土嚢袋Ａの使用形態は、理解を容易とするための一例である。
【００６６】
図１に示す道路１では、基礎２上にアスファルトやコンクリートなどの舗装３を施して、自動車４が通行可能な状態としている。
【００６７】
また、道路１の左右略中央部には、中央分離帯５が形成されており、対向車同士を隔てている。
【００６８】
中央分離帯５には、自動車４の走行方向へ沿って配設された縁石６,６と、同縁石６,６上に配設された防護柵７,７とが備えられており、両縁石６,６の間には、植栽帯８が形成されている。
【００６９】
植栽帯８には、土壌９に樹木１０が植えられており、さらにこの土壌９の表面には、植栽用土嚢Ｂが敷き詰められている。また、この植栽用土嚢Ｂには匍匐性植物１１が植栽されている。
【００７０】
このように、図１に示す道路１では、植栽帯８の土壌９表面に植栽用土嚢Ｂを敷設することにより、雑草の繁茂を防止するとともに、匍匐性植物１１を育成させて美観を保つようにしている。
【００７１】
次に、この植栽用土嚢Ｂ及び植栽用土嚢Ｂを形成する植栽用土嚢袋Ａについて説明する。
【００７２】
図２は、植栽用土嚢Ｂの構成を示す斜視図である。植栽用土嚢Ｂは、植栽用土嚢袋Ａに土砂１５を収容することで形成されており、図２（ａ）に示すように、植栽用土嚢Ｂの表面部３１の略中央部を切開して切開部１７を形成し、同切開部１７から露出した土砂１５内に匍匐性植物１１が移植されている。
【００７３】
また、切開部１７の切れ端部分は、それぞれ互いにクリップ１８,１８…にて止められており、切開部１７の拡大や、雑草の種が内部の土砂に侵入するのを防ぐようにしている。
【００７４】
また、植栽用土嚢袋Ａは、図２（ｂ）に示すように、方形状に形成され、土砂１５を収容する網状の袋本体１２と、同袋本体１２の底面部１３に取り付けられた布体１４とで構成している。
【００７５】
換言すれば、植栽用土嚢袋Ａは、布体１４が取り付けられた底面部１３と、同底面部１３に対向し匍匐性植物が移植される表面部３１と、を備えたメッシュ袋状に形成している。
【００７６】
袋本体１２は、0.8mm四方の網目を有するポリエステル製のメッシュシートで一端に投入部１６を設けた可撓性を有する袋状に形成している。このようなメッシュシートとしては、例えば、平岡織染株式会社製のターポスクリーン（登録商標）#2039を用いることができる。なお、この袋本体１２（植栽用土嚢袋Ａ）を形成する手順については、後に図４を用いて説明する。
【００７７】
布体１４は、袋本体１２外部から前記袋本体１２内部にかけて跨るように底面部１３に縫製して取り付けており、土壌９表面の水分を底面部１３を介して植栽用土嚢袋Ａ内部の土砂１５に供給可能としている。
【００７８】
このような構成を備える植栽用土嚢袋Ａによれば、図３に示すように、内部に土砂１５を収容して植栽用土嚢Ｂとし、底面部１３を土壌９に対面させて配設することにより、土壌９の表面から雑草が生えるのを防止することができる。
【００７９】
例えば、雑草が繁茂していた草刈り後の土壌９の表面であれば、その土壌９表面が植栽用土嚢Ｂで覆われることとなるため、本来雑草に供給されるべき日光が遮断されると共に重量物（植栽用土嚢Ｂ）による重圧がかかることとなり、雑草の再繁茂が抑制される。
【００８０】
また、土壌９の表面の水分を袋本体１２の外部に突出させた布体１４で吸収し、毛管現象により袋本体１２内部に挿入されている布体１４部分へ移送して、土砂１５中に拡散させて、匍匐性植物１１の生育を助長することができる。
【００８１】
また、切開部１７に移植した匍匐性植物１１の親株５３からは茎部５０が伸延し、この茎部５０の中途に形成された節部５１からは根部５２と葉部５４が生じて子株５５が形成される。
【００８２】
子株５５の根部５２は切開部１７から外れた場所にあるが、表面部３１の網目を介して植栽用土嚢Ｂ内に収容している土砂に到達し、水分や養分を得ることとができる。
【００８３】
ところで、植栽用土嚢Ｂ内の土砂１５に、土壌９の表面からできるだけ多くの水を供給するのであれば、例えば、植栽用土嚢袋Ａの底面部１３の全面を布体１４を構成する生地、例えば不織布で形成する方法が考えられる。
【００８４】
しかしながら、不織布のように毛管現象を生起可能な布体にあっては、繊維が非常に密に集合された状態となっており、匍匐性植物１１の生育が進んだ場合、一部の根部５２が成長して底面部１３に到達すると、それ以上深い場所へは伸延することができなくなって、更なる生育を阻害してしまうおそれがある。
【００８５】
特に、日照りや乾燥の多い場所に配設されている場合には、土嚢内の乾燥が著しい。
【００８６】
一方、本実施形態に係る植栽用土嚢袋Ａでは、底面部１３を根部５２が突出可能な網目を有するメッシュシートで形成しているため、根部５２は土壌９中へさらに伸びてゆくことができる。
【００８７】
それゆえ、植栽した植物の育成を阻害せず、しかも、日照続きで土砂が乾燥した場合でも、土壌中の根部５２から水分を得ることができて、植物の育成を助長することができる。
【００８８】
しかも、布体１４は、断面視において底面部に対し交差させた状態で配設しているため、植栽用土嚢Ｂの土砂１５の中心部にまで水分を効率よく供給することができる。
【００８９】
次に、図４を用いて、植栽用土嚢袋Ａの製造方法について説明する。まず、図４（ａ）に示すように、原反２０の網状シート２２を所定長さに切断し、得られた方形状の網状シート２２の対向する縁辺２１,２１同士を向かい合わせる（図４（ｂ）参照）。
【００９０】
ここで、縁辺２１,２１には所定幅の縫代部２３,２３をとり、この縫代部２３,２３間に布体１４を介在させ、次いで、縫代部２３,２３に沿って縁辺２１,２１を縫合して、表裏反転させて縫合した縫代部２３,２３を筒状網体２４の内方として、図４（ｃ）に示すように、筒状の網体２４を形成する。この際、布体１４は、筒状網体２４の内部と外部とに跨って配設されるように縫合する（第１工程）。なお、本工程では、外観を良好とするために筒状網体２４表裏反転させることで、縫合後の縫代部２３を内方としたが、縫代部２３を外方に向けたままであっても良い。
【００９１】
次に、図４（ｄ）に示すように、筒状網体２４の開口辺２５,２５の一方を縫合して閉塞して、他方が開口する袋状網体２６を形成する（第２工程）。
【００９２】
そして、袋状網体２６の開口２７を含む端部を複数回（本実施形態では２回）折り返し、中央部を除く両縁部を縫合して、前記土砂の投入部１６を形成し、図４（ｅ）に示すような植栽用土嚢袋Ａとする（第３工程）。なお、この際、投入部１６には、両縁部を縫合することにより把持部２９,２９が形成され、また、縫合しなかった中央部には投入口２８形成される。
【００９３】
このような製造方法により、本実施形態に係る植栽用土嚢袋Ａを安価且つ容易に製造することができる。
【００９４】
また、植栽用土嚢袋Ａに土砂を収容して封をする手順については、まず、図５（ａ）に示すように、植栽用土嚢袋Ａの投入部１６の略中央部分の折り返しをめくりあげて投入口２８を開口させた状態とし、予め土砂を貯留したホッパー３０から土砂を流下させ、植栽用土嚢袋Ａ内に土砂を収容する。
【００９５】
次に、作業者は、図５（ｂ）に示すように、所定量の土砂１５を収容した植栽用土嚢袋Ａの把持部２９,２９を把持し、左右方向へ引っ張ることにより、投入口２８を閉塞して簡単に封をすることができる（土嚢形成工程）。
【００９６】
そして、図６に示すように、形成した植栽用土嚢Ｂを土壌９の表面に並べながら敷設する（土嚢配設工程）ことで、敷設した部位の土壌９から雑草が繁茂するのを防止することができる。
【００９７】
しかも、この敷設の際に、投入部１６に他の植栽用土嚢Ｂの底面部１３を重畳しながら並べることにより、植栽用土嚢Ｂ同士の隙間から雑草が伸びてくるのを防ぎ、また、内部に収容した土砂１５が投入口２８から流出するのを可及的防止することができる。
【００９８】
その後、配設した植栽用土嚢Ｂに、前述の匍匐性の植物（例えば、イワダレソウ属の植物）を移植する（植栽工程）ことにより、植栽用土嚢Ｂの表面部を植栽した植物で覆わせて景観を整えることができる。
【００９９】
次に、他の実施形態に係る植栽用土嚢袋Ｃについて図７を参照しながら説明する。なお、以下の説明において、前述の植栽用土嚢袋Ａや植栽用土嚢Ｂと同様の構成については同じ符号を付して説明を省略する。
【０１００】
他の実施形態に係る植栽用土嚢袋Ｃは、前述の植栽用土嚢袋Ａと基本的な構成を同じくしているが、図７（ａ）に示すように、布体４０の形状を断面視略Ω（オメガ）状としている点で構造を異にしている。
【０１０１】
具体的には、図７（ａ）及び（ｂ）に示すように、植栽用土嚢袋Ｃの布体４０は、袋本体１２の内部に配置される筒部４１と、当該筒部４１にその一端がそれぞれ連結され、袋本体１２の外部に配置される左右一対の平板部４２,４２とを備える。
【０１０２】
また、筒部４１には、土砂を流入させる流入開口４３が延伸方向に所定間隔をあけて複数個形成されている。
【０１０３】
さらに筒部４１は、同筒部４１の周面に形成された各流入開口４３に向かって土砂１５を流入させるガイド部４４を、各流入開口４３に対応させて設けている。
【０１０４】
このガイド部４４は、図７（ｃ）に示すように、筒部４１の伸延方向に対して直交する方向へ向けて、筒部４１の高さの約半分程度まで切込み４５を入れ、図７（ｃ）中に白抜きの矢印で示す方向、すなわち、筒部４１の内方へ斜めに傾けながら押し込むことで形成することができる。
【０１０５】
このような構成とすることにより、図７（ｂ）中に白抜きの矢印で示すように、植栽用土嚢袋Ｃに土砂１５を収容する際に、土砂１５が筒部４１内方へ流れ込み、筒部４１が土砂１５で充填されることによって、図７（ａ）に示すように、植栽用土嚢Ｄ内で、布体４０を上方（表面部３１方向）へ立ち上げることができ、水分の拡散性を向上させることができる。
【０１０６】
換言すれば、植栽用土嚢袋Ｃ内に土砂１５を収容する際に、布体４０が流入した土砂１５によって底面部１３に押しつけられて、土砂１５内部への水分の拡散性が悪化してしまうことを防止できる。
【０１０７】
上述してきたように、本実施形態に係る植栽用土嚢袋によれば、方形状に形成され、土砂を収容する網状の袋本体と、この袋本体に取り付けられた不織布とからなる植栽用土嚢袋であって、前記袋本体は、前記土砂に植栽した植物の茎部が成長して突出する表面部と、前記不織布が取り付けられるとともに、前記植物の根部が成長して突出する底面部とを有し、前記底面部に前記不織布を貫通させ、当該不織布を前記袋本体外部から前記袋本体内部にかけて配置することにより、当該不織布の毛管現象によって前記袋本体外部の水分を前記袋本体内部の土砂に供給することとしたため、草刈り後の雑草の再繁茂を抑制し、しかも、所定の植物を植栽可能に形成することができる。
【０１０８】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【０１０９】
例えば、本実施形態に係る植栽用土嚢袋Ａ,Ｃは、土砂を収容して道路１の中央分離帯５に敷設することとしたが、これに限定されるものではなく、公園や道路の路肩、法面など、雑草の繁茂を抑制したい場所に適宜敷設することができるのは言うまでもない。
【０１１０】
また、本実施形態では、植栽用土嚢袋Ａ,Ｃに土砂１５を収容して略正方形の形状として土壌９の表面に配設したが、これに限定されるものではなく、収容する土砂の量を減らし、余分な部分は底面部１３側に折り返して土壌９表面に配設するようにしても良い。
【０１１１】
このような方法を行うことにより、植栽用土嚢Ｂを様々な形状とすることができる。例えば、立木の幹元部分を回避して植栽用土嚢Ｂを敷設することができる。
【０１１２】
また、本実施形態に係る植栽用土嚢袋Ａ,Ｃに植栽する植物は特に限定されるものではないが、匍匐性植物を植栽するために特化させた匍匐性植物用植栽用土嚢袋として使用しても良い。
【０１１３】
また、図２（ａ）で示した植栽用土嚢Ｂは、表面部３１に十字状の切開部１７を形成して土砂を露出させ植栽することとしたが、これに限定されるものではなく、植栽する植物の苗ポッドの断面視形状と略同形状に植栽用土嚢Ｂの表面部３１を切開し、そこに植物の苗を植栽するようにしても良い。
【０１１４】
また、上述してきた実施形態において、植栽用土嚢Ｂ,Ｄに植栽する植物の親株５３は１株としていたが、複数株を植栽しても良いのは勿論である。また、複数の植栽用土嚢Ｂ,Ｄを土壌面に敷設した場合、必ずしも全ての植栽用土嚢Ｂ,Ｄに植栽する必要はなく、２つに１つや３つに１つなど、複数の植栽用土嚢Ｂ,Ｄに対して所定の割合で植栽するようにしても良い。
【符号の説明】
【０１１５】
９  土壌
１１  匍匐性植物
１２  袋本体
１３  底面部
１４  布体
１５  土砂
１６  投入部
１７  切開部
１８  クリップ
２０  原反
２１  縁辺
２２  網状シート
２３  縫代部
２４  筒状網体
２５  開口辺
２６  袋状網体
２７  開口
２８  投入口
２９  把持部
３１  表面部
４０  布体
４１  筒部
４２  平板部
４３  流入開口
４４  ガイド部
４５  切込み
５０  茎部
５１  節部
５２  根部
５３  親株
５４  葉部
５５  子株
Ａ  植栽用土嚢袋
Ｂ  植栽用土嚢
Ｃ  植栽用土嚢袋
Ｄ  植栽用土嚢
【図１】
2011000028.tif 000003
【図２】
2011000028.tif 000004
【図３】
2011000028.tif 000005
【図４】
2011000028.tif 000006
【図５】
2011000028.tif 000007
【図６】
2011000028.tif 000008
【図７】
2011000028.tif 000009